(57)【要約】      （修正有）【課題】複数の身体パーツの連結に備える玩具人形関節の連結構造を提供する。【解決手段】相互に連結された２つの身体パーツの連結場所にはそれぞれ第１接合面２１と第２接合面２２とが形成され、第１接合面と第２接合面とも平面を有し、かつ第１接合面と第２接合面の中心部には第１嵌め込み穴２１１と第２嵌め込み穴２２１とが設けられ、第１嵌め込み穴と第２嵌め込み穴の開口が内側に延在して第１拡張部と第２拡張部とが形成される。嵌め込み柱２３の両端にはそれぞれ第１環状突起部２３１と第２環状突起部２３２とが設けられ、この嵌め込み柱により２つの身体パーツの連結が完了する。これにより、組立の利便性が大幅に向上すると共に、環状突起部と拡張部によって、屈曲・伸展するときの円滑性が向上し、身体パーツの脱落を防止できる。【選択図】図２
0003184262.tif 000002
【実用新案登録請求の範囲】
【請求項１】
２つの身体パーツを連結することによって、隣接した２つの身体パーツの自在運動ができる玩具人形関節の連結構造であって、
前記２つの身体パーツのうち一方の身体パーツの連接場所に形成され、平面を有し、かつ中心部に円径φ１を有する第１嵌め込み穴が設けられ、前記第１嵌め込み穴の開口部が内側に延在した円径φ２を有する第１拡張部が形成され、式φ２＞φ１を満足する第１接合面と、
他方の身体パーツの連接場所に形成され、平面を有し、かつ前記第１接合面と対向し、中心部に円径φ３を有する第２嵌め込み穴が設けられ、前記第２嵌め込み穴の開口部が内側に延在した円径φ４を有する第２拡張部が形成され、式φ４＞φ３を満足する第２接合面と、
両端にそれぞれ円径φ５を有する第１環状突起部及び第２環状突起部が設けられ、中央部に円径φ６を有する円柱形の柱本体が形成され、式φ５＞φ６、φ２＝φ４≧φ５＞φ１＝φ３を満足し、組立時に前記両端がそれぞれ第１嵌め込み穴と第２嵌め込み穴に挿入されることによって前記第１環状突起部及び前記第２環状突起部がそれぞれ前記第１拡張部及び前記第２拡張部に自在運動可能に嵌め込まれ、前記第１接合面と前記第２接合面とが互いに接触し、前記各身体パーツの相対的な回動時の摩擦力によって、固定効果を有する嵌め込み柱と、を備える玩具人形関節の連結構造。
【請求項２】
前記第１接合面は前記第１嵌め込み穴の隣接場所に第１環状溝を有し、
前記第２接合面は前記第２嵌め込み穴の隣接場所に第２環状溝を有し、
前記第１環状溝と前記第２環状溝は対向して設けられていることを特徴とする、請求項１記載の玩具人形関節の連結構造。
【請求項３】
前記第１環状突起部及び前記第２環状突起部は球面を有し、
前記第１拡張部及び前記第２拡張部はそれぞれ前記第１環状突起部と前記第２環状突起部に対応して、それぞれ球面を有することを特徴とする、請求項１記載の玩具人形関節の連結構造。
【請求項４】
前記第１環状突起部と前記第２環状突起部の表面はそれぞれ、網構造部または溝構造部を有することを特徴とする、請求項１または３記載の玩具人形関節の連結構造。
【請求項５】
前記第１嵌め込み穴および／または第２嵌め込み穴の内側に設けられ、前記網構造部または前記溝構造部に係合して、位置固定の効果を有する係止部をさらに有することを特徴とする、請求項４記載の玩具人形関節の連結構造。
【考案の詳細な説明】
【技術分野】
【０００１】
本考案は玩具人形に関し、特に嵌め込み柱を利用して２つの連結面を自在に連結して、脱着便利な造形人形の関節連結構造に関する。
【背景技術】
【０００２】
一般の玩具人形は人間の実際の動作をシミュレートできるように仕上げられている。製造技術およびリアルさに対する要求がますます高くなるにつれて、上肢部または下肢部の関節に回動または屈曲構造設計が採用されている。その多くは枢軸を回動軸に採用しており、かつ玩具人形の身体パーツは頭部、上肢部、下肢部などの身体パーツ各パーツに対応して、複数の孔を設けてそれらが身体パーツ組み付けられており、頭部と四肢だけがそれぞれ３６０度に旋回可能なため、人間の関節のような回動自在の動作感覚は表現できない。
【先行技術文献】
【特許文献】
【０００３】
【特許文献１】台湾実用新案公告第３０１６９０号
【考案の概要】
【考案が解決しようとする課題】
【０００４】
例えば、図１には、玩具人形の関節部の屈曲動作を可能にするための一般の玩具人形関節部の構造が示されている。同図に示すように、関節構造１は人形上肢部の上腕と前腕を接合する第１接合部１１及び第２接合部１２として、または下肢部の腿部と脛部を接合する接合部として用いられる。第１接合部１１は差しこみ具１１１であり、枢接孔１１２を有し、第２接合部１２は２枚に分かれていて、それぞれ差しこみ具１１１に対応して、枢接プレート１２１と、枢接プレート１２２とが設けられ、第２接合部１２を突き合わせて接着固定する。これにより人形の上肢部または下肢部の関節構造１は屈曲可能だが、この種の設計によれば、脱着は非常に難しい。
【０００５】
そのため、緊張度を調節可能な関節構造に関して、台湾実用新案公告第３０１６９０号（特許文献１）には、人形の関節構造であって、２つの接合体と一つの弾性部材とを含み、前記２つの接合体が、弾性素子の弾性付勢力により、２つの接合体の組合せ軸および組合せ溝に適切な緊張度を与えられ、２つの接合体の接合角度の調整および固定が可能な関節構造がある。しかし、この種の構造設計によれば、組立が複雑なばかりでなく、適切な金物（例えば、ねじ）を用いて弾性素子を固定する必要があり、製造コストがかさむほか、人形の美観性も損なわれるため、改良の必要がある。
【０００６】
以上に鑑み、本考案の一目的は、複数の身体パーツを連結することにより、隣接する２つの身体パーツを運動自在とし、身体パーツの連結場所にはそれぞれ対応する２つの接合面が形成され、嵌め込み柱をそれぞれ嵌め込み穴に運動自在に嵌着し、接合面の摩擦力により運動時の緊張度を調節できるほか、組立及び取り外しの利便性を大幅に向上可能な玩具人形関連結構造を提供することにある。
【課題を解決するための手段】
【０００７】
前記目的を達成するため、本考案の玩具人形関節の連結構造は、２つの身体パーツのうち一方の身体パーツの連結場所に形成され、平面を有し、中心部に円径φ１を有する第１嵌め込み穴が設けられ、第１嵌め込み穴の開口部が内側に延在して円径φ２を有する第１拡張部が形成され、式φ２＞φ１の条件を満足する第１接合面と、他方の身体パーツの連結場所に形成され、平面を有し、第１接合面と対向しており、中心部に円径φ３を有する第２嵌め込み穴が設けられ、第２嵌め込み穴の開口部が内側に延在して円径φ４を有する第２拡張部が形成され、式φ４＞φ３の条件を満足する第２接合面と、両端にそれぞれ円径φ５を有する第１環状突起部及び第２環状突起部が設けられ、中央部に円径φ６を有する円柱形の柱本体が形成され、式φ５＞φ６、φ２＝φ４≧φ５＞φ１＝φ３の条件を満足する嵌め込み柱と、を備える。嵌め込み柱は、組立時に、嵌め込み柱の両端がそれぞれ第１嵌め込み穴と第２嵌め込み穴に挿入されることにより、第１環状突起部及び第２環状突起部がそれぞれ第１拡張部及び第２拡張部に自在運動可能嵌め込まれ、第１接合面と第２接合面とが互いに接触し、各身体パーツの相対的な回動時の摩擦力によって固定効果を有する。
【０００８】
本考案の玩具人形関節の連結構造の一実施例において、第１弧面と第２弧面をさらに有し、第１弧面は第１接合面の一側に隣設し、第２弧面は第２接合面の一側に隣接し、第１弧面と第２弧面とを対向して設けることにより、身体パーツは第１弧面と第２弧面の延在距離に沿って運動の角度を調節でき、人間の実際の運動動作を容易にシミュレートできる。
【０００９】
本考案の玩具人形関節の連結構造の一実施例において、第１接合面は第１嵌め込み穴の隣接場所に、第１環状溝を有し、第２接合面は第２嵌め込み穴の隣接場所に第２環状溝を有し、第１環状溝と第２環状溝は互いに対向して設けられ、第１環状溝と第２環状溝によって、空気の進入空間が提供されるほか、第１接合面と第２接合面の摩擦力を適宜に軽減し、調整が困難になるのを防ぐことができる。
【００１０】
そのうち、環状突起部は球面を有し、第１拡張部と第２拡張部はそれぞれ環状突起部に対応して、球面を有する。第１環状突起部及び第２環状突起部の表面はさらにそれぞれ前記回動の方向と直交する方向に形成され並列に配置された複数の溝を有する。本考案の玩具人形関節の連結構造は、溝の内側に設ける潤滑グリースをさらに有し、使用時の潤滑効果を提供し、回動運動がより円滑になる。第１嵌め込み穴および／または第２嵌め込み穴の内部に係止部をさらに有し、溝を係止して、回動位置を制限できる効果を達成する。
【図面の簡単な説明】
【００１１】
【図１】一般の玩具人形関節部構造を示す図である。
【図２】本考案の好ましい実施例の立体分解図である。
【図３】本考案の好ましい実施例における組立後の立体外観図である。
【図４】本考案の好ましい実施例組立後の断面図である。
【図５】本考案による嵌め込み柱の実施態様を示す図（その１）である。
【図６】本考案による嵌め込み柱の実施態様を示す図（その２）である。
【図７】本考案の好ましい実施例もう一つの実施態様である。
【考案を実施するための形態】
【００１２】
本考案の内容のさらなる理解を図るため、以下にて図面と合わせて説明する。
【実施例】
【００１３】
図３及び図４は、本考案の好ましい実施例の立体分解図と、組立後の立体外観図と、組立後の断面視図とを示す図である。図に示すように、本考案の玩具人形関節の連結構造２は、複数の身体パーツ３に連結して、隣接する２つの身体パーツ３を運動自在とする。身体パーツ３は軟質のゴム部材からなり、玩具人形関節の連結構造２は第１接合面２１と、第２接合面２２と嵌め込み柱２３とを有する。
【００１４】
上記複数の身体パーツのうち連結される２つの身体パーツに着目すると、第１接合面２１はそのうち一方の身体パーツ３の連結場所に形成され、平面を有し、その中心部には円径φ１を有する第１嵌め込み穴２１１が設けられている。また、第１嵌め込み穴２１１の開口部が内側に延在し、円径φ２を有する第１拡張部２１２が形成され、式φ２＞φ１を満足する。さらに、第１接合面２１の一側には第１弧面２１３が設けられている。このほか、第１接合面２１は第１嵌め込み穴２１１の隣接場所に第１環状溝２１４を有している。
【００１５】
第２接合面２２は、他方の身体パーツ３の連結場所に形成されている。第２接合面２２は第１接合面２１と互いに対向しており、中心部には円径φ３を有する第２嵌め込み穴２２１が設けられている。また、第２嵌め込み穴２２１の開口部が内側に延在して円径φ２を有する第２拡張部２２２が形成され、式φ４＞φ３を満足する。さらに、第２接合面２２に隣接する一側には、第２弧面２２３が設けられ、第１弧面２１と第２弧面２２は対向して設けられている。このほか、第２接合面２２は第２嵌め込み穴２２１の隣接場所に第２環状溝２２４を有しており、第１環状溝２１４と第２環状溝２２４は互いに対向して設けられている。
【００１６】
嵌め込み柱２３の両端にはそれぞれ円径φ５を有する第１環状突起部２３１と、第２環状突起部２３２とが設けられ、嵌め込み柱２３の中央部は円径φ６を有する円柱形状の柱本体２３３を有し、式φ５＞φ６、φ２＝φ４≧φ５＞φ１＝φ３を満足する。嵌め込み柱２３の両端の第１環状突起部２３１を第１嵌め込み穴２１１に挿入し、第１環状突起部２３１を第１拡張部２１２に運動自在に嵌着し、第２環状突起部２３２を第２嵌め込み穴２２１に挿入し、第２環状突起部２３２を第２拡張部２２２に運動自在に嵌着させ、第１接合面２１と第２接合面２２とを接触させる。これにより、身体パーツの相対的な回動により発生する摩擦力によって、身体パーツ３の回動後の固定効果が得られる。特に注意したいことは、第１環状突起部２３１と第２環状突起部２３２は球面を有し、かつ第１拡張部２１２と第２拡張部２２２もそれぞれ第１環状溝２３１と第２環状溝２３２に対応して球面を有することである。
【００１７】
このほか、より円滑な回動効果の得るため、図５及び図６を用いて、本考案による嵌め込み柱の他の実施態様を参照する。図示のように、第１環状突起部２３１の表面にはさらに、身体パーツの回動方向と直交する方向に形成された第１網／溝構造部２３１１が設けられ、第２環状突起部２３２の表面には、同じく身体パーツの回動方向と直交する方向に形成された第２網／溝構造部２３２１が設けられている。図５に示すように、第１網／溝構造部２３１１と第２網／溝構造部２３２１とも交差して連結された網状構造を形成されている。図６に示すように、第１網／溝構造部２３１１と第２網／溝構造部２３２１とも、並列に設けられた溝構造を有している。さらに、潤滑効果をさらに向上させるため、第１網／溝構造部２３１１と第２網／溝構造部２３２１上に潤滑グリース２４を塗布し、第１拡張部２１２と第２拡張部２２２の表面と良好な潤滑効果を維持してもよい。
【００１８】
さらに、図７は、本考案の好ましい実施例もう一つの実施態様を示した図である。同図に示すように、本考案では、第１嵌め込み穴２１１と第２嵌め込み穴２２１の内部に、それぞれ係止部２１１１、２２１１が設けられている。係止部２１１１、２２１１は第１嵌め込み穴２１１と第２嵌め込み穴２２１の内部に一体成形された突起片であり、係止部２１１１、２２１１の高さはちょうど第１網／溝構造部２３１１と第２網／溝構造部２３２１の深さに対応しており、身体パーツの回動運動時には、身体パーツを固定して噛み合わせる効果を有するほか、第１網／溝構造部２３１１と第２網／溝構造部２３２１を係止し、玩具人形関節の連結構造２の回動運動時において、身体パーツの位置を固定する効果を有し、身体パーツ３の相対的な揺動角度を制限することができる。
【符号の説明】
【００１９】
（公知技術）
１        関節構造
１１      第１接合部
１１１    挿接プレート
１１２    枢接穴
１２      第２接合部
１２１    枢接プレート
１２２    軸接プレート
（本考案）
２        玩具人形関節の連結構造
２１      第１接合面
２１１    第１嵌め込み穴
２１１１  第１係止部
φ１      円径
２１２    第１拡張部
φ２      円径
２１３    第１弧面
２１４    第１環状溝
２２      第２接合面
２２１    第２嵌め込み穴
２２１１  第２係止部
φ３      円径
２２２    第２拡張部
φ４      円径
２２３    第２弧面
２２４    第２環状溝
２３      嵌め込み柱
２３１    第１環状突起部
２３１１  第１網／溝構造部
２３２    第２環状突起部
２３２１  第２網／溝構造部
φ５      円径
２３３    柱本体
φ６      円径
２４      潤滑グリース
３        身体パーツ
【図１】
0003184262.tif 000003
【図２】
0003184262.tif 000004
【図３】
0003184262.tif 000005
【図４】
0003184262.tif 000006
【図５】
0003184262.tif 000007
【図６】
0003184262.tif 000008
【図７】
0003184262.tif 000009